(57)【特許請求の範囲】
【請求項１】
内部にそれぞれクッション材が配置された平面視して正方形又は長方形の単位マットレスＡ〜Ｃが、該単位マットレスＡ、Ｂのそれぞれの第１、第２の対向側面の上部に設けられた第１の連結部材を、該単位マットレスＢ、Ｃのそれぞれの第３、第４の対向側面の下部に設けられた第２の連結部材を介して三つ折り可能に連結された介護用マットレスにおいて、
前記第１、第２の連結部材はジッパーであって、
前記単位マットレスＡの前記第１の対向側面の反対側にある他側面の上角部に繋がる第１の吊下げ用把手が設けられ、かつ前記単位マットレスＢの前記第３の対向側面の上角部に繋がる第２の吊下げ用把手が設けられ、
前記単位マットレスＡ〜Ｃに収納される前記クッション材は、透水性、通気性、撥水性及び耐圧分散性を有する合成樹脂材からなり、該クッション材を包む袋体は使用時に該袋体の表面となる領域が撥水性素材で作製されたメッシュ生地で、側面及び底面となる領域が防水処理生地でそれぞれ形成されていることを特徴とする介護用マットレス。
【請求項２】
請求項１記載の介護用マットレスにおいて、前記単位マットレスＡ〜Ｃを形成する前記袋体の隣り合う２辺にはファスナがそれぞれ設けられていることを特徴とする介護用マットレス。
【請求項３】
内部にそれぞれクッション材が配置された平面視して正方形又は長方形の単位マットレスＡ〜Ｄが、該単位マットレスＡ、Ｂのそれぞれの第１、第２の対向側面の上部に設けられた第１の連結部材を、該単位マットレスＢ、Ｃのそれぞれの第３、第４の対向側面の下部に設けられた第２の連結部材を、該単位マットレスＣ、Ｄのそれぞれの第５、第６の対向側面の上部に設けられた第３の連結部材を介して四つ折り可能に連結された介護用マットレスにおいて、
前記第１〜第３の連結部材はジッパーであって、前記単位マットレスＡの前記第１の対向側面の反対側にある他側面の上角部に繋がる第１の吊下げ用把手が設けられ、かつ前記単位マットレスＢの前記第３の対向側面の上角部に繋がる第２の吊下げ用把手が設けられ、更に、前記単位マットレスＤの前記第６の対向側面の反対側にある他側面の上角部に繋がる第３の吊下げ用把手が設けられ、
前記単位マットレスＡ〜Ｄに収納される前記クッション材は、透水性、通気性、撥水性及び耐圧分散性を有する合成樹脂材からなり、該クッション材を包む袋体は使用時に該袋体の表面となる領域が撥水性素材で作製されたメッシュ生地で、側面及び底面となる領域が防水処理生地でそれぞれ形成されていることを特徴とする介護用マットレス。
【請求項４】
請求項３記載の介護用マットレスにおいて、前記単位マットレスＡ〜Ｄを形成する前記袋体の隣り合う２辺にはファスナがそれぞれ設けられていることを特徴とする介護用マットレス。
【請求項５】
請求項１〜４のいずれか１項に記載の介護用マットレスにおいて、前記クッション材は、ポリオレフィン系樹脂を有する中実又は中空の線状材からなるループ又はカールの隣接部同士が互いに接触絡合して形成される三次元樹脂構造体であることを特徴とする介護用マットレス。
【請求項６】
請求項５記載の介護用マットレスにおいて、前記クッション材は、表側に配置される嵩密度が０．００５〜０．０３ｇ／ｃｍ３である低反発領域と裏側に配置される嵩密度が０．０３〜０．０８ｇ／ｃｍ３である高反発領域が一体に形成されていることを特徴とする介護用マットレス。
【発明の詳細な説明】
【技術分野】
【０００１】
本発明は、介護用マットレス（以下、単に介護用マットともいう）に関する。
【背景技術】
【０００２】
例えば、長方形盤状となって、クッション層をカバーで被覆することにより構成された介護用マットが提案されている。カバーは、使用時に表面側となる領域が通気性素材で、下面側となる領域が防水性部材でそれぞれ形成され、収納したクッション層の１対の対向する端縁（側面）にそれぞれ沿ったカバー端縁（カバー側面）には、カバー端縁の長手方向に沿って、外部と内部を連通する開口が形成され、カバー端縁に開口が形成されていない１対のカバー端縁には、それぞれ面ファスナーのフック群面及びループ群面を取付けて、面ファスナーで複数のマットを連結することにより必要に応じて大きさの異なる介護用マットを形成することが提案されている（例えば、特許文献１参照）。
【先行技術文献】
【特許文献】
【０００３】
【特許文献１】特開２００５−３４３９２号公報
【発明の概要】
【発明が解決しようとする課題】
【０００４】
しかしながら、特許文献１に記載の介護用マットでは、マットを面ファスナーを用いて連結しているため、介護用マットの連結状態を解除するには、連結状態の介護用マットを互いに引き離すように移動させねばならず、解除作業が煩雑になると共に作業スペースを確保しなければならないという問題がある。また、連結状態を解除した介護用マットを再度連結するには、連結する介護用マットの位置合わせをして、互いに圧着しなければならず、連結に時間を要するという問題がある。また、マットの連結に面ファスナーを用いているので、連結状態の介護用マットは折り畳むことができず、持ち運ぶ際には介護用マットの連結を解除しなければならないという問題がある。
更に、カバーの端縁に開口が形成されているので、カバーを大きく開くことができず、クッション層の挿入や取り出しに時間を要するという問題がある。
【０００５】
本発明はかかる事情に鑑みてなされたもので、連結と解体が容易であると共に、容易に折り畳んで持ち運びすることも可能な介護用マットレスを提供することを目的とする。
【課題を解決するための手段】
【０００６】
【０００７】
前記目的に沿う第１の発明に係る介護用マットレスは、内部にそれぞれクッション材が配置された平面視して正方形又は長方形の単位マットレスＡ〜Ｃが、該単位マットレスＡ、Ｂのそれぞれの第１、第２の対向側面の上部に設けられた第１の連結部材を、該単位マットレスＢ、Ｃのそれぞれの第３、第４の対向側面の下部に設けられた第２の連結部材を介して三つ折り可能に連結された介護用マットレスにおいて、
前記第１、第２の連結部材はジッパーであって、
前記単位マットレスＡの前記第１の対向側面の反対側にある他側面の上角部に繋がる第１の吊下げ用把手が設けられ、かつ前記単位マットレスＢの前記第３の対向側面の上角部に繋がる第２の吊下げ用把手が設けられ、
前記単位マットレスＡ〜Ｃに収納される前記クッション材は、透水性、通気性、撥水性及び耐圧分散性を有する合成樹脂材からなり、該クッション材を包む袋体は使用時に該袋体の表面となる領域が撥水性素材で作製されたメッシュ生地で、側面及び底面となる領域が防水処理生地でそれぞれ形成されている。
【０００８】
前記目的に沿う第２の発明に係る介護用マットレスは、内部にそれぞれクッション材が配置された平面視して正方形又は長方形の単位マットレスＡ〜Ｄが、該単位マットレスＡ、Ｂのそれぞれの第１、第２の対向側面の上部に設けられた第１の連結部材を、該単位マットレスＢ、Ｃのそれぞれの第３、第４の対向側面の下部に設けられた第２の連結部材を、該単位マットレスＣ、Ｄのそれぞれの第５、第６の対向側面の上部に設けられた第３の連結部材を介して四つ折り可能に連結された介護用マットレスにおいて、
前記第１〜第３の連結部材はジッパーであって、前記単位マットレスＡの前記第１の対向側面の反対側にある他側面の上角部に繋がる第１の吊下げ用把手が設けられ、かつ前記単位マットレスＢの前記第３の対向側面の上角部に繋がる第２の吊下げ用把手が設けられ、更に、前記単位マットレスＤの前記第６の対向側面の反対側にある他側面の上角部に繋がる第３の吊下げ用把手が設けられ、
前記単位マットレスＡ〜Ｄに収納される前記クッション材は、透水性、通気性、撥水性及び耐圧分散性を有する合成樹脂材からなり、該クッション材を包む袋体は使用時に該袋体の表面となる領域が撥水性素材で作製されたメッシュ生地で、側面及び底面となる領域が防水処理生地でそれぞれ形成されている。
【発明の効果】
【０００９】
【００１０】
第１の発明に係る介護用マットレスにおいては、単位マットレスＡ〜Ｃを連結する第１、第２の連結部材がジッパーのため、単位マットレスＡ〜Ｃの連結と解体を容易に行うことができる。また、第１の吊下げ用把手を、単位マットレスＡの第１の対向側面の反対側にある他側面の上角部に繋げて、第２の吊下げ用把手を単位マットレスＢの第３の対向側面の上角部に繋げてそれぞれ取付けたので、単位マットレスＡ、Ｂの表側同士及び単位マットレスＢ、Ｃの裏側同士が当接するように三つ折りすると、第１、第２の吊下げ用把手を一面側に集合させることができ、三つ折り状態の単位マットレスＡ〜Ｃを吊り下げて一体で（三つ折り状態の単位マットレスＡ〜Ｃがずれることを防止して）持ち運びすることが可能になる。更に、単位マットレスＡ〜Ｃに収納されるクッション材は、透水性、通気性、撥水性及び耐圧分散性を有し、袋体は使用時に袋体の表面となる領域が撥水性素材で作製されたメッシュ生地で、側面及び底面となる領域が防水処理生地でそれぞれ形成されているので、単位マットレスＡ〜Ｃ上に液体がこぼれても、液体を素早く下方に誘導して袋体の外部に流出するのを防止できる。
【００１１】
第２の発明に係る介護用マットレスにおいては、単位マットレスＡ〜Ｄを連結する第１〜第３の連結部材がジッパーのため、単位マットレスＡ〜Ｄの連結と解体を容易に行うことができる。また、第１の吊下げ用把手を、単位マットレスＡの第１の対向側面の反対側にある他側面の上角部に、第２の吊下げ用把手を単位マットレスＢの第３の対向側面の上角部に繋げて、第３の吊下げ用把手を単位マットレスＤの第６の対向側面の反対側にある他側面の上角部に繋げてそれぞれ取付けたので、単位マットレスＡ、Ｂの表側同士、単位マットレスＢ、Ｃの裏側同士、及び単位マットレスＣ、Ｄの表側同士が当接するように四つ折りすると、第１〜第３の吊下げ用把手を一面側に集合させることができ、四つ折り状態の単位マットレスＡ〜Ｄを吊り下げて一体で（四つ折り状態の単位マットレスＡ〜Ｄがずれることを防止して）持ち運びすることが可能になる。更に、単位マットレスＡ〜Ｄに収納されるクッション材は、透水性、通気性、撥水性及び耐圧分散性を有し、袋体は使用時に袋体の表面となる領域が撥水性素材で作製されたメッシュ生地で、側面及び底面となる領域が防水処理生地でそれぞれ形成されているので、単位マットレスＡ〜Ｄ上に液体がこぼれても、液体を素早く下方に誘導して袋体の外部に流出するのを防止できる。
【図面の簡単な説明】
【００１２】
【図１】本発明の第１の実施の形態に係る介護用マットレスの斜視図である。
【図２】同介護用マットレスの折り畳み途中の状態を示す側面図である。
【図３】同介護用マットレスの折り畳んだ状態を示す斜視図である。
【図４】本発明の第２の実施の形態に係る介護用マットレスの斜視図である。
【図５】同介護用マットレスの折り畳み途中の状態を示す側面図である。
【図６】同介護用マットレスの折り畳んだ状態を示す斜視図である。
【図７】本発明の第３の実施の形態に係る介護用マットレスの斜視図である。
【図８】同介護用マットレスの側面図である。
【発明を実施するための形態】
【００１３】
続いて、添付した図面を参照しつつ、本発明を具体化した実施の形態につき説明し、本発明の理解に供する。
図１、図２、図３に示すように、本発明の第１の実施の形態に係る介護用マットレス１０は、内部にそれぞれクッション材２６が配置された平面視して正方形又は長方形の単位マットレス１１（単位マットレスＡ）、単位マットレス１２（単位マットレスＢ）、単位マットレス１３（単位マットレスＣ）が、単位マットレス１１、１２のそれぞれの第１、第２の対向側面１５、２１の上部（表側角部２０、２２）に設けられたジッパー１４（第１の連結部材の一例）を介して、単位マットレス１２、１３のそれぞれの第３、第４の対向側面１７、２４の下部（裏側角部２３、２５）に設けられたジッパー１４ａ（第２の連結部材の一例）を介して三つ折り可能に連結されている。
【００１４】
単位マットレス１１の第１の対向側面１５の反対側にある他側面１６の上角部の中央領域に繋がる表面には第１の吊下げ用把手１８が設けられ、単位マットレス１２の第３の対向側面１７の上角部の中央領域に繋がる表面には第２の吊下げ用把手１９が設けられている。また、第１、第２の吊下げ用把手１８、１９は、撥水性素材（例えば、ポリエチレン）を用いて形成することが好ましい。なお、第２の吊下げ用把手は、単位マットレス１３の第４の対向側面２４の上角部の中央領域に繋がる表面に設けてもよい。
単位マットレス１１〜１３に収納されるクッション材２６は、透水性、通気性、撥水性及び耐圧分散性を有する合成樹脂材からなり、クッション材２６を包む袋体２７において、使用時に袋体２７の表面２８となる領域は撥水性素材（例えば、ポリエチレン）で作製されたメッシュ生地で形成されている。
【００１５】
単位マットレス１１〜１３の袋体２７の側面、具体的には、単位マットレス１１では、第１の対向側面１５と、第１の対向側面１５の反対側にある他側面１６と、第１の対向側面１５の両端と他側面１６の両端をそれぞれ繋ぐ連絡側面２９となる領域、単位マットレス１２では、第２、第３の対向側面２１、１７と、第２の対向側面２１の両端と第３の対向側面１７の両端をそれぞれ繋ぐ連絡側面２９ａとなる領域、単位マットレス１３では、第４の対向側面２４、第４の対向側面２４の反対側にある他側面３３と、第４の対向側面２４の両端と他側面３３の両端をそれぞれ繋ぐ連絡側面２９ｂとなる領域は防水処理生地で形成されている。また、単位マットレス１１〜１３の袋体２７の底面３０となる領域は防水処理生地で形成されている。
【００１６】
ここで、単位マットレス１１、１２、１３（クッション材２６、袋体２７）それぞれの幅（図１において長手方向の長さ、以下同じ）は６０〜１４０ｃｍ、長さ（幅に直交する方向の長さ、以下同じ）は６０〜７０ｃｍ、厚さは２〜１５ｃｍである。そして、ジッパー１４，１４ａの長さは、単位マットレス１１、１２、１３の幅と同じとしているが、単位マットレス１１、１２、１３の幅の７０％以上、好ましくは８０％であればよい。
第１、第２の吊下げ用把手１８、１９は、平面視して幅が２〜４ｃｍの湾曲帯状に成形されており、第１の吊下げ用把手１８の両端側がそれぞれ単位マットレス１１の他側面１６の上角部の中央領域に繋がる袋体２７の表面２８に固定されており、第２の吊下げ用把手１９の両端側がそれぞれ単位マットレス１２の第３の対向側面１７の上角部の中央領域に繋がる袋体２７の表面２８に固定されている。なお、第１、第２の吊下げ用把手１８、１９の両端部の間隔及び第１、第２の吊下げ用把手１８、１９の長さは、単位マットレス１１、１２、１３のサイズ、使用状況に応じて任意に設定する。
【００１７】
単位マットレス１１〜１３を形成する袋体２７の隣り合う２辺（側面）、具体的には、単位マットレス１１の袋体２７では、第１の対向側面１５の反対側にある他側面１６と、他側面１６に隣り合う一方の連絡側面２９の２辺に、単位マットレス１２の袋体２７では、第３の対向側面１７と、第３の対向側面１７に隣り合う一方の連絡側面２９ａの２辺に、単位マットレス１３の袋体２７では、第４の対向側面２４の反対側にある他側面３３と、他側面３３に隣り合う一方の連絡側面２９ｂの２辺に、袋体２７の高さ方向の中央部より表面２８側の位置に、表面２８（底面３０）と平行にファスナ３１が連続してそれぞれ設けられている。なお、隣り合う２辺に設けるファスナ３１の両端は、隣り合う２側面の角部からそれぞれ側面の長手方向に沿って側面の長手方向の長さの８０〜９５％の距離だけ離れた位置に存在するようにファスナ３１の長さを調節するのがよい。これにより、単位マットレス１１〜１３を形成する袋体２７に開閉可能な開閉部３２、３２ａ、３２ｂを形成することができる。
【００１８】
このような構成とすることにより、使用時の状態の介護用マットレス１０から、単位マットレス１１、１２、１３毎に、ファスナ３１を操作して開閉部３２、３２ａ、３２ｂを開放状態にすることにより、袋体２７の表面側の一部を上方に向けて開くことができ、袋体２７の中からクッション材２６を取出すことができる。また、ジッパー１４、１４ａで袋体２７を３つ連結し、各袋体２７のファスナ３１を操作して開閉部３２、３２ａ、３２ｂを開放状態にしてクッション材２６を挿入した後に開閉部３２、３２ａ、３２ｂを閉じることにより、単位マットレス１１、１２、１３からなる介護用マットレス１０を容易に形成することができる。
なお、ファスナ３１としてジッパーを使用することができるが、ジッパーの代わりに、面状ファスナ、ボタン、ホックのいずれか１又は２以上を組み合わせて使用してもよい。
【００１９】
クッション材２６としては、ポリオレフィン系樹脂（例えば、ポリプロピレン又はポリエチレン）と、酢酸ビニル樹脂、エチレン酢酸ビニル共重合体、又はスチレンブタジエンスチレンとの混合樹脂を成形して得られる中実又は中空の線状材からなるループ又はカールの隣接部同士が互いに接触絡合することにより集合して形成される三次元樹脂構造体（例えば、特許第４４９９８９１号公報参照）を使用することができる。ここで、ポリオレフィン系樹脂と、酢酸ビニル樹脂又はエチレン酢酸ビニル共重合体から混合樹脂を作製する場合、ポリオレフィン系樹脂７０〜９７質量％に対して酢酸ビニルが３〜３０質量％含有されるように調製する。また、ポリオレフィン系樹脂とスチレンブタジエンスチレンから混合樹脂を作製する場合、ポリオレフィン系樹脂５０〜９７質量％に対してスチレンブタジエンスチレンが３〜５０質量％含有されるように調製する。
【００２０】
中実の線状材の外径は０．３〜３ｍｍ、中空の線状材の外径は１〜３ｍｍである。そして、クッション材２６では、表側に配置される嵩密度が、例えば、０．００５〜０．０３ｇ／ｃｍ３である低反発領域と、裏側に配置される嵩密度が、例えば、０．０３〜０．０８ｇ／ｃｍ３である高反発領域が一体に形成されている。クッション材２６を低反発領域と高反発領域の２層構造とすることにより、低反発領域の変形が高反発領域により抑制される。その結果、介護者が介護用マットレス１０（単位マットレス１１、１２、１３）の上に寝た状態では、低反発領域が介護者の体形に沿って変形すると共に、低反発領域全体を高反発領域全体で支えることができ、介護者の体重を介護者との接触面全体で受けることが可能になって、寝た状態の介護者の身体的負担を軽減することができる。
【００２１】
続いて、本発明の第１の実施の形態に係る介護用マットレス１０の作用について詳細に説明する。
図１、図２、図３に示すように、介護用マットレス１０においては、単位マットレス１１、１２のそれぞれの第１、第２の対向側面１５、２１の上部（表側角部２０、２２）同士がジッパー１４により、第３、第４の対向側面１７、２４の下部（裏側角部２３、２５）同士がジッパー１４ａによりそれぞれ連結されており、使用時では単位マットレス１１〜１３が一列に並んだ状態になっている。その結果、隣り合う単位マットレス１１、１２の表側同士を、隣り合う単位マットレス１２、１３の裏側同士をそれぞれ当接させながら折り曲げる（折り畳む）ことにより、介護用マットレス１０をコンパクトな状態に変形することができる。
【００２２】
そして、単位マットレス１１の第１の対向側面１５の反対側にある他側面１６の上角部に繋がって第１の吊下げ用把手１８が、単位マットレス１２の第３の対向側面１７の上角部に繋がって第２の吊下げ用把手１９がそれぞれ設けられている。これにより、単位マットレス１１〜１３を折り曲げた際に（折り畳んだ際に）、第１、第２の吊下げ用把手１８、１９を一つの面上に集合させることができ、第１、第２の吊下げ用把手１８、１９を用いて折り畳まれた単位マットレス１１、１２、１３を、単位マットレス１１、１２、１３同士がずれることを防止して吊り下げることができ容易に持ち運びすることが可能になる。
【００２３】
単位マットレス１１、１２、１３は、透水性、通気性、撥水性及び耐圧分散性を有する合成樹脂材からなるので、介護用マットレス１０は、優れた透水性、通気性、撥水性及び耐圧分散性を有している。そして、クッション材２６は、表面が撥水性素材で作製されたメッシュ生地で、側面と底面が防水処理生地でそれぞれ形成された袋体２７に収納されているので、介護用マットレス１０（単位マットレス１１、１２、１３）上に食事の際や失禁により液体がこぼれても、液体を素早く下方に誘導することができ、介護者に液体が接触するのを防止することができると共に、液体を袋体２７内に溜めて、外部に流出するのを防止することができる。
【００２４】
図４、図５、図６に示すように、本発明の第２の実施の形態に係る介護用マットレス３４は、内部にそれぞれクッション材５７が配置された平面視して正方形又は長方形の単位マットレス３５（単位マットレスＡ）、単位マットレス３６（単位マットレスＢ）、単位マットレス３７（単位マットレスＣ）、単位マットレス３８（単位マットレスＤ）が、単位マットレス３５、３６のそれぞれの第１、第２の対向側面４０、４９の上部（表側角部４８、５０）に設けられたジッパー３９（第１の連結部材の一例）を介して、単位マットレス３６、３７のそれぞれの第３、第４の対向側面４４、５２の下部（裏側角部５１、５３）に設けられたジッパー３９ａ（第２の連結部材の一例）を介して、単位マットレス３７、３８のそれぞれの第５、第６の対向側面５５、４２の上部（表側角部５６、５４）に設けられたジッパー３９ｂ（第３の連結部材の一例）を介して四つ折り可能に連結されている。
【００２５】
単位マットレス３５の第１の対向側面４０の反対側にある他側面４１の上角部の中央領域に繋がって第１の吊下げ用把手４５が設けられ、単位マットレス３６の第３の対向側面４４の上角部の中央領域に繋がって第２の吊下げ用把手４６が設けられ、更に、単位マットレス３８の第６の対向側面４２の反対側にある他側面４３の上角部の中央領域に繋がって第３の吊下げ用把手４７が設けられている。また、第１〜第３の吊下げ用把手４５〜４７は、撥水性素材（例えば、ポリエチレン）を用いて形成することが好ましい。なお、第２の吊下げ用把手は、単位マットレス３７の第４の対向側面５２の上角部の中央領域に設けてもよい。
単位マットレス３５〜３８に収納されるクッション材５７は、透水性、通気性、撥水性及び耐圧分散性を有する合成樹脂材からなり、クッション材５７を包む袋体５８において、使用時に袋体５８の表面５９となる領域は撥水性素材（例えば、ポリエチレン）で作製されたメッシュ生地で形成されている。
【００２６】
単位マットレス３５〜３８の袋体５８の側面、具体的には、単位マットレス３５では、第１の対向側面４０と、第１の対向側面４０の反対側にある他側面４１と、第１の対向側面４０の両端と他側面４１の両端をそれぞれ繋ぐ連絡側面６０となる領域、単位マットレス３６では、第２、第３の対向側面４９、４４と、第２の対向側面４９の両端と第３の対向側面４４の両端をそれぞれ繋ぐ連絡側面６０ａとなる領域、単位マットレス３７では、第４、第５の対向側面５２、５５と、第４の対向側面５２の両端と第５の対向側面５５の両端をそれぞれ繋ぐ連絡側面６０ｂとなる領域、単位マットレス３８では、第６の対向側面４２と、第６の対向側面４２の反対側にある他側面４３と、第６の対向側面４２の両端と他側面４３の両端をそれぞれ繋ぐ連絡側面６０ｃとなる領域は、それぞれ防水処理生地で形成されている。また、単位マットレス３５〜３８の袋体５８の底面６１となる領域は防水処理生地で形成されている。
【００２７】
ここで、単位マットレス３５〜３８（クッション材５７、袋体５８）の幅は６０〜１４０ｃｍ、長さは４５〜５５ｃｍ、厚さは２〜１５ｃｍである。そして、ジッパー３９，３９ａ、３９ｂの長さは、単位マットレス３５〜３８の幅と同じとしているが、単位マットレス３５〜３８の幅の７０％以上、好ましくは８０％であればよい。
第１〜第３の吊下げ用把手４５〜４７は、平面視して幅が２〜４ｃｍの湾曲帯状に成形されており、第１の吊下げ用把手４５の両端側がそれぞれ単位マットレス３５の他側面４１の上角部の中央領域に繋がる袋体５８の表面５９に固定されており、第２の吊下げ用把手４６の両端側がそれぞれ単位マットレス３６の第３の対向側面４４の上角部の中央領域に繋がる袋体５８の表面５９に固定されており、第３の吊下げ用把手４７の両端側がそれぞれ単位マットレス３８の他側面４３の上角部の中央領域に繋がる袋体５８の表面５９に固定されている。なお、第１〜第３の吊下げ用把手４５〜４７の両端部の間隔及び第１〜第３の吊下げ用把手４５〜４７の長さは、単位マットレス３５〜３８のサイズ、使用状況に応じて任意に設定する。
【００２８】
単位マットレス３５〜３８を形成する袋体５８の隣り合う２辺（側面）、具体的には、単位マットレス３５の袋体５８では、第１の対向側面４０の反対側にある他側面４１と、他側面４１に隣り合う一方の連絡側面６０の２辺に、単位マットレス３６の袋体５８では、第３の対向側面４４と、第３の対向側面４４に隣り合う一方の連絡側面６０ａの２辺に、単位マットレス３７の袋体５８では、第４の対向側面５２と、第４の対向側面５２に隣り合う一方の連絡側面６０ｂの２辺に、単位マットレス３８の袋体５８では、第６の対向側面４２の反対側にある他側面４３と、他側面４３に隣り合う一方の連絡側面６０ｃの２辺に、袋体５８の高さ方向の中央部より表面５９側の位置に、表面５９（底面６１）と平行にファスナ６２が連続してそれぞれ設けられている。なお、隣り合う２辺に設けるファスナ６２の両端は、隣り合う２側面の角部からそれぞれ側面の長手方向に沿って側面の長手方向の長さの８０〜９５％の距離だけ離れた位置に存在するようにファスナ６２の長さを調節するのがよい。これにより、単位マットレス３５〜３８を形成する袋体５８に開閉可能な開閉部６３、６３ａ、６３ｂ、６３ｃを形成することができる。
【００２９】
このような構成とすることにより、使用時の状態の介護用マットレス３４から、単位マットレス３５〜３８毎に、ファスナ６２を操作して開閉部６３、６３ａ、６３ｂ、６３ｃを開放状態にすることにより、袋体５８の表面側の一部を上方に向けて開くことができ、袋体５８の中からクッション材５７を取出すことができる。また、ジッパー３９、３９ａ、３９ｂで袋体５８を４つ連結し、各袋体５８のファスナ６２を操作して開閉部６３、６３ａ、６３ｂ、６３ｃを開放状態にしてクッション材５７を挿入した後に開閉部６３、６３ａ、６３ｂ、６３ｃを閉じることにより、単位マットレス３５〜３８からなる介護用マットレス３４を容易に形成することができる。
なお、ファスナ６２としてジッパーを使用することができるが、ジッパーの代わりに、面状ファスナ、ボタン、ホックのいずれか１又は２以上を組み合わせて使用してもよい。
【００３０】
ここで、クッション材５７には、第１の発明に係る介護用マットレス１０のクッション材２６と同様の三次元樹脂構造体を使用することができるので、クッション材５７の説明は省略する。
また、本発明の第２の実施の形態に係る介護用マットレス３４の作用は、本発明の第１の実施の形態に係る介護用マットレス１０の作用と同様なので、説明は省略する。
【００３１】
図７、図８に示すように、本発明の第３の実施の形態に係る介護用マットレス６４は、内部にそれぞれクッション材６５が配置された平面視して正方形又は長方形の単位マットレス６６（単位マットレスＡ）、単位マットレス６７（単位マットレスＢ）、単位マットレス６８（単位マットレスＣ）が、単位マットレス６６、６７のそれぞれの第１、第２の対向側面６９、７０の下部（裏側角部７１、７２）に設けられたジッパー７３（第１の連結部材の一例）を、単位マットレス６７、６８のそれぞれの第３、第４の対向側面７４、７５の下部（裏側角部７６、７７）に設けられたジッパー７８（第２の連結部材の一例）を介して連結されている。
ここで、ジッパー７３、７８は、エレメント（務歯）の噛合い、噛み外しを行うスライダーを備えた操作側のジッパー構成要素７９と、ジッパー構成要素７９と対になる被操作側のジッパー構成要素８０から構成され、例えば、単位マットレス６６、６７の裏側角部７１、７６にはジッパー構成要素８０が、単位マットレス６７、６８の裏側角部７２、７７にはジッパー構成要素７９が取付けられている
【００３２】
また、単位マットレス６６の第１の対向側面６９の反対側にある他側面８１の下部（裏側角部８２）には、ジッパー７３の第１の対向側面６９の裏側角部７１に設けられたジッパー構成要素８０と対となるジッパー構成要素７９が、単位マットレス６８の第４の対向側面７５の反対側にある他側面８３の下部（裏側角部８４）には、ジッパー７８の第４の対向側面７５の裏側角部７７に設けられたジッパー構成要素７９と対となるジッパー構成要素８０が、それぞれ設けられている。従って、対向する側面の下部（裏側角部）にそれぞれジッパー構成要素７９、８０が配置されるように単位マットレス６６、６７、６８を並べれば、単位マットレス６６、６７、６８の並べる順番の制約を受けずに、単位マットレス６６、６７、６８を連結することができる。
【００３３】
単位マットレス６６〜６８に収納されるクッション材６５は、透水性、通気性、撥水性及び耐圧分散性を有する合成樹脂材から形成されている。なお、クッション材６５には、第１の発明に係る介護用マットレス１０のクッション材２６と同様の三次元樹脂構造体を使用することができるので、クッション材６５の説明は省略する。
また、クッション材６５を包む袋体８５は使用時に袋体８５の表面８６となる領域が撥水性素材（例えば、ポリエチレン）で作製されたメッシュ生地で形成されている。
【００３４】
単位マットレス６６〜６８の袋体８５の側面、具体的には、単位マットレス６６では、第１の対向側面６９と、第１の対向側面６９の反対側にある他側面８１と、第１の対向側面６９の両端と他側面８１の両端をそれぞれ繋ぐ連絡側面８７となる領域、単位マットレス６７では、第２、第３の対向側面７０、７４と、第２の対向側面７０の両端と第３の対向側面７４の両端をそれぞれ繋ぐ連絡側面８８となる領域、単位マットレス６８では、第４の対向側面７５、第４の対向側面７５の反対側にある他側面８３と、第４の対向側面７５の両端と他側面８３の両端をそれぞれ繋ぐ連絡側面８９となる領域は防水処理生地で形成されている。また、単位マットレス６６〜６８の袋体８５の底面９０となる領域は防水処理生地で形成されている。
【００３５】
ここで、単位マットレス６６〜６８（クッション材６５、袋体８５）の幅は６０〜１４０ｃｍ、長さは６０〜７０ｃｍ、厚さは２〜１５ｃｍである。そして、ジッパー７３、７８の長さは、単位マットレス６６〜６８の幅と同じとしているが、単位マットレス６６〜６８の幅の７０％以上、好ましくは８０％であればよい。
【００３６】
単位マットレス６６〜６８を形成する袋体８５の隣り合う２辺（側面）、具体的には、単位マットレス６６の袋体８５では、第１の対向側面６９の反対側にある他側面８１と、他側面８１に隣り合う一方の連絡側面８７の２辺に、単位マットレス６７の袋体８５では、第３の対向側面７４と、第３の対向側面７４に隣り合う一方の連絡側面８８の２辺に、単位マットレス６８の袋体８５では、第４の対向側面７５の反対側にある他側面８３と、他側面８３に隣り合う一方の連絡側面８９の２辺に、袋体８５の高さ方向の中央部より表面８６側の位置に、表面８６（底面９０）と平行にファスナ９１が連続してそれぞれ設けられている。なお、隣り合う２辺に設けるファスナ９１の両端は、隣り合う２側面の角部からそれぞれ側面の長手方向に沿って側面の長手方向の長さの８０〜９５％の距離だけ離れた位置に存在するようにファスナ９１の長さを調節するのがよい。これにより、単位マットレス６６〜６８を形成する袋体８５に開閉可能な開閉部９２、９３、９４を形成することができる。
【００３７】
このような構成とすることにより、使用時の状態の介護用マットレス６４から、単位マットレス６６、６７、６８毎に、ファスナ９１を操作して開閉部９２，９３、９４を開放状態にすることにより、袋体８５の表面側の一部を上方に向けて開くことができ、袋体８５の中からクッション材６５を取出すことができる。また、ジッパー７３、７８で袋体８５を３つ連結し、各袋体８５のファスナ９１を操作して開閉部９２、９３、９４を開放状態にしてクッション材６５を挿入した後に開閉部９２、９３、９４を閉じることにより、単位マットレス６６〜６８からなる介護用マットレス６４を容易に形成することができる。
なお、ファスナ９１としてジッパーを使用することができるが、ジッパーの代わりに、面状ファスナ、ボタン、ホックのいずれか１又は２以上を組み合わせて使用してもよい。
【００３８】
続いて、本発明の第３の実施の形態に係る介護用マットレス６４の作用について説明する。第３の実施の形態に係る介護用マットレス６４においては、単位マットレス６６〜６８を連結する第１、第２の連結部材がジッパー７３、７８のため、単位マットレス６６〜６８の連結と解体を容易に行うことができる。このため、損傷が生じたり、汚れたりした単位マットレス６６、６７、６８だけを交換することができる。
また、単位マットレス６６〜６８を連結するジッパー７３、７８が、単位マットレス６６〜６８の下部に設けられているので、使用時にジッパー７３、７８による不快感を感じることがなく、床ずれの虞もない。
更に、単位マットレス６６〜６８の対向する側面の下部（裏側角部）には、それぞれジッパー構成要素７９、８０が設けられているので、ジッパー構成要素７９、８０が対向するように単位マットレス６６、６７、６８を並べれば、単位マットレス６６、６７、６８の並べる順番の制約を受けずに、単位マットレス６６〜６８を連結することができる。このため、単位マットレス６６〜６８の配置を定期的に変更することにより、特定の単位マットレスだけが損傷することを防止できる。
そして、単位マットレス６６〜６８に収納されるクッション材６５は、透水性、通気性、撥水性及び耐圧分散性を有し、袋体８５は使用時に袋体８５の表面８６となる領域が撥水性素材で作製されたメッシュ生地で、側面及び底面９０となる領域が防水処理生地でそれぞれ形成されているので、単位マットレス６６〜６８上に液体がこぼれても、液体を素早く下方に誘導して袋体の外部に流出するのを防止できる。
【００３９】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
更に、本実施の形態とその他の実施の形態や変形例にそれぞれ含まれる構成要素を組合わせたものも、本発明に含まれる。
【符号の説明】
【００４０】
１０：介護用マットレス、１１、１２、１３：単位マットレス、１４、１４ａ：ジッパー、１５：第１の対向側面、１６：他側面、１７：第３の対向側面、１８、１９：吊下げ用把手、２０：表側角部、２１：第２の対向側面、２２：表側角部、２３：裏側角部、２４：第４の対向側面、２５：裏側角部、２６：クッション材、２７：袋体、２８：表面、２９、２９ａ、２９ｂ：連絡側面、３０：底面、３１：ファスナ、３２、３２ａ、３２ｂ：開閉部、３３：他側面、３４：介護用マットレス、３５、３６、３７．３８：単位マットレス、３９、３９ａ、３９ｂ：ジッパー、４０：第１の対向側面、４１：他側面、４２：第６の対向側面、４３：他側面、４４：第３の対向側面、４５、４６、４７：吊下げ用把手、４８：表側角部、４９：第２の対向側面、５０：表側角部、５１：裏側角部、５２：第４の対向側面、５３：裏側角部、５４：表側角部、５５：第５の対向側面、５６：表側角部、５７：クッション材、５８：袋体、５９：表面、６０、６０ａ、６０ｂ、６０ｃ：連絡側面、６１：底面、６２：ファスナ、６３、６３ａ、６３ｂ、６３ｃ：開閉部、６４：介護用マットレス、６５：クッション材、６６、６７、６８：単位マットレス、６９：第１の対向側面、７０：第２の対向側面、７１、７２：裏側角部、７３：ジッパー、７４：第３の対向側面、７５：第４の対向側面、７６、７７：裏側角部、７８：ジッパー、７９、８０：ジッパー構成要素、８１：他側面、８２：裏側角部、８３：他側面、８４：裏側角部、８５：袋体、８６：表面、８７、８８、８９：連絡側面、９０：底面、９１：ファスナ、９２、９３、９４：開閉部
【図１】
0006375281.tif 000002
【図２】
0006375281.tif 000003
【図３】
0006375281.tif 000004
【図４】
0006375281.tif 000005
【図５】
0006375281.tif 000006
【図６】
0006375281.tif 000007
【図７】
0006375281.tif 000008
【図８】
0006375281.tif 000009